(57)【特許請求の範囲】
【請求項１】
ＵＥ（Ｕｓｅｒ  Ｅｑｕｉｐｍｅｎｔ）が非周期的チャネル状態情報を転送する方法であって、
チャネル状態情報（ｃｈａｎｎｅｌ  ｓｔａｔｅ  ｉｎｆｏｒｍａｔｉｏｎ：ＣＳＩ）要請フィールドを受信し、
前記ＣＳＩ要請フィールドがＣＳＩレポートをトリガーするように設定されると、チャネル状態情報を生成し、
前記チャネル状態情報をＰＵＳＣＨ（Ｐｈｙｓｉｃａｌ  Ｕｐｌｉｎｋ  Ｓｈａｒｅｄ  Ｃｈａｎｎｅｌ）を介して転送し
前記ＣＳＩ要請フィールドの値は、第１集合の参照信号に対する非周期的ＣＳＩレポートをトリガーする第１値と、第２集合の参照信号に対する非周期的ＣＳＩレポートをトリガーする第２値とを含み、
前記第１集合の参照信号および前記第２集合の参照信号は、上位階層信号により設定される、方法。
【請求項２】
前記ＣＳＩ要請フィールドは、前記ＰＵＳＣＨをスケジューリングするＤＣＩ（Ｄｏｗｎｌｉｎｋ  Ｃｏｎｔｒｏｌ  Ｉｎｆｏｒｍａｔｉｏｎ）に含まれる、請求項１に記載の方法。
【請求項３】
前記複数の参照信号は、複数のダウンリンクサブフレームに位置する、請求項１に記載の方法。
【請求項４】
前記複数の参照信号に対する参照信号設定情報を受信することをさらに含む、請求項１に記載の方法。
【請求項５】
前記チャネル状態情報は、前記複数の参照信号を測定することにより生成される、請求項１に記載の方法。
【請求項６】
前記ＣＳＩ要請フィールドは、２ビットを含む、請求項１に記載の方法。
【請求項７】
無線信号を送受信するように構成されるＲＦ（Ｒａｄｉｏ  Ｆｒｅｑｕｅｎｃｙ）部と、
前記ＲＦ部に接続されるプロセッサと
を備えるＵＥ（Ｕｓｅｒ  Ｅｑｕｉｐｍｅｎｔ）であって、
前記プロセッサは、
チャネル状態情報（ｃｈａｎｎｅｌ  ｓｔａｔｅ  ｉｎｆｏｒｍａｔｉｏｎ：ＣＳＩ）要請フィールドを受信することと、
前記ＣＳＩ要請フィールドがＣＳＩレポートをトリガーするように設定されると、チャネル状態情報を生成することと、
前記チャネル状態情報をＰＵＳＣＨ（Ｐｈｙｓｉｃａｌ  Ｕｐｌｉｎｋ  Ｓｈａｒｅｄ  Ｃｈａｎｎｅｌ）を介して転送することと
を実行するように構成され、
前記ＣＳＩ要請フィールドの値は、第１集合の参照信号に対する非周期的ＣＳＩレポートをトリガーする第１値と、第２集合の参照信号に対する非周期的ＣＳＩレポートをトリガーする第２値とを含み、
前記第１集合の参照信号および前記第２集合の参照信号は、上位階層信号により設定される、ＵＥ。
【請求項８】
前記ＣＳＩ要請フィールドは、前記ＰＵＳＣＨをスケジューリングするＤＣＩ（Ｄｏｗｎｌｉｎｋ  Ｃｏｎｔｒｏｌ  Ｉｎｆｏｒｍａｔｉｏｎ）に含まれる、請求項７に記載のＵＥ。
【請求項９】
前記複数の参照信号は、複数のダウンリンクサブフレームに位置する、請求項７に記載のＵＥ。
【請求項１０】
前記プロセッサは、前記複数の参照信号に対する参照信号設定情報を受信するようにさらに構成される、請求項７に記載のＵＥ。
【請求項１１】
前記チャネル状態情報は、前記複数の参照信号を測定することにより生成される、請求項７に記載のＵＥ。
【請求項１２】
前記ＣＳＩ要請フィールドは、２ビットを含む、請求項７に記載のＵＥ。
【発明の詳細な説明】
【技術分野】
【０００１】
本発明は、無線通信に関し、さらに詳細には、無線通信システムにおいて端末が非周期的チャネル状態情報を転送する方法及び装置に関する。
【背景技術】
【０００２】
最近、無線通信網のデータ転送量が迅速に増加している。それは、マシン対マシン（Ｍａｃｈｉｎｅ−ｔｏ−Ｍａｃｈｉｎｅ，Ｍ２Ｍ）通信及び高いデータ転送量を要求するスマートフォン、タブレットＰＣなど多様なデバイスの出現及び普及のためである。求められる高いデータ転送量を満たすために、より多くの周波数帯域を效率的に使用する搬送波集成（ｃａｒｒｉｅｒ  ａｇｇｒｅｇａｔｉｏｎ）技術、認知無線（ｃｏｇｎｉｔｉｖｅ  ｒａｄｉｏ）技術などと限定された周波数内でデータ容量を高めるために多重アンテナ技術、多重基地局協力技術などが最近注目されている。
【０００３】
また、無線通信網は、ユーザの周辺にアクセスできるノード（ｎｏｄｅ）の密度が高まる傾向に進化している。ここで、ノードとは、分散アンテナシステム（ｄｉｓｔｒｉｂｕｔｅｄ  ａｎｔｅｎｎａ  ｓｙｓｔｅｍ，ＤＡＳ）において一定間隔以上に離れたアンテナまたはアンテナグループのことを意味する場合もあるが、このような意味に限定されずに、さらに広い意味として使用されることができる。すなわち、ノードは、ピコセル基地局（ＰｅＮＢ）、ホーム基地局（ＨｅＮＢ）、ＲＲＨ（ｒｅｍｏｔｅ  ｒａｄｉｏ  ｈｅａｄ）、ＲＲＵ（ｒｅｍｏｔｅ  ｒａｄｉｏ  ｕｎｉｔ）、中継器などになることができる。このような高い密度のノード付き無線通信システムは、ノード間の協力によりさらに高いシステム性能を見せることができる。すなわち、各ノードが独立的な基地局（Ｂａｓｅ  Ｓｔａｔｉｏｎ（ＢＳ），Ａｄｖａｎｃｅｄ  ＢＳ（ＡＢＳ），Ｎｏｄｅ−Ｂ（ＮＢ），ｅＮｏｄｅ−Ｂ（ｅＮＢ），Ａｃｃｅｓｓ  Ｐｏｉｎｔ（ＡＰ）等）として動作して互いに協力しないときより各ノードが一つの制御局により送受信が管理されて一つのセルに対するアンテナまたはアンテナグループのように動作するならば、はるかに優れたシステム性能を出すことができる。以下、複数のノードを備える無線通信システムを多重ノードシステムと称す。
【０００４】
多重ノードシステムでは、端末に信号を転送するノードが端末別に異なっても良く、複数設定されても良い。このとき、各ノード別に互いに異なる参照信号（ｒｅｆｅｒｅｎｃｅ  ｓｉｇｎａｌ）を転送できる。ノード別に転送する参照信号は、転送周期は同一であってもサブフレームオフセット値が異なるため、互いに異なるサブフレームにおいて転送されることができる。この場合、基地局は、端末に互いに異なるサブフレームにおいて転送される複数の参照信号を測定してフィードバックすることを要請することが必要となることができる。このとき、従来では、測定の対象になる参照信号が転送される各ダウンリンクサブフレームにおいてチャネル状態情報要請フィールドを転送した。このような従来の方法は、チャネル状態情報要請フィールドを繰り返して転送しなければならないので、無線資源の無駄遣いという問題がある。
【発明の概要】
【課題を解決するための手段】
【０００５】
無線通信システムにおける非周期的チャネル状態情報の転送方法及び装置を提供しようとする。
【０００６】
一側面によれば、端末の非周期的チャネル状態情報の転送方法が提供される。前記方法は、複数の参照信号に対するチャネル状態情報要請を受信するステップと、前記複数の参照信号を受信するステップと、前記チャネル状態情報要請に応じて、前記複数の参照信号の各々に対するチャネル状態情報を生成するステップと、前記チャネル状態情報をＰＵＳＣＨ（ｐｈｙｓｉｃａｌ  Ｕｐｌｉｎｋ  Ｓｈａｒｅｄ  Ｃｈａｎｎｅｌ）を介して転送するステップとを含むものの、前記チャネル状態情報要請は、前記複数の参照信号を受信するサブフレームのうち、一部のサブフレームにのみ含まれることを特徴とする。
【０００７】
前記チャネル状態情報要請は、前記ＰＵＳＣＨをスケジューリングするダウンリンク制御情報（ｄｏｗｎｌｉｎｋ  Ｃｏｎｔｒｏｌ  ｉｎｆｏｒｍａｔｉｏｎ：ＤＣＩ）に含まれることができる。
【０００８】
前記複数の参照信号は、複数のダウンリンクサブフレームに位置できる。
【０００９】
前記複数の参照信号に対する参照信号設定情報をさらに受信することができる。
【００１０】
前記チャネル状態情報は、複数のアップリンクサブフレームに位置する複数のＰＵＳＣＨを介して転送されることができる。
【００１１】
前記複数のＰＵＳＣＨは、前記チャネル状態情報要請を含むＤＣＩに含まれた複数のスケジューリング情報によって指示されることができる。
【００１２】
前記複数のＰＵＳＣＨは、前記チャネル状態情報要請を含むＤＣＩに含まれた一つのスケジューリング情報及び前記複数のＰＵＣＣＨの数を表す情報により指示されることができる。
【００１３】
前記チャネル状態情報は、前記チャネル状態情報要請を受信した第１ダウンリンクサブフレーム及び前記第１ダウンリンクサブフレームの以前に位置した第２ダウンリンクサブフレームにおいて参照信号を測定して生成されることができる。
【００１４】
前記チャネル状態情報は、前記チャネル状態情報要請を受信した第１ダウンリンクサブフレーム及び前記第１ダウンリンクサブフレームの以後に位置した第２ダウンリンクサブフレームにおいて参照信号を測定して生成されることができる。
【００１５】
他の側面で提供されている端末は、無線信号を送受信するＲＦ部と、前記ＲＦ部に接続するプロセッサとを備えるものの、前記プロセッサは、複数の参照信号に対するチャネル状態情報要請を受信し、前記複数の参照信号を受信し、前記チャネル状態情報要請に応じて、前記複数の参照信号の各々に対するチャネル状態情報を生成し、及び前記チャネル状態情報をＰＵＳＣＨ（ｐｈｙｓｉｃａｌ  Ｕｐｌｉｎｋ  Ｓｈａｒｅｄ  Ｃｈａｎｎｅｌ）を介して転送するものの、前記チャネル状態情報要請は、前記複数の参照信号を受信するサブフレームのうち、一部のサブフレームにのみ含まれることを特徴とする。
【００１６】
前記チャネル状態情報要請は、前記ＰＵＳＣＨをスケジューリングするダウンリンク制御情報（ｄｏｗｎｌｉｎｋ  Ｃｏｎｔｒｏｌ  ｉｎｆｏｒｍａｔｉｏｎ：  ＤＣＩ）に含まれることができる。
【００１７】
前記複数の参照信号は、複数のダウンリンクサブフレームに位置できる。
【００１８】
前記プロセッサは、前記複数の参照信号に対する参照信号設定情報をさらに受信することができる。
【００１９】
前記チャネル状態情報は、前記チャネル状態情報要請を受信した第１ダウンリンクサブフレーム及び前記第１ダウンリンクサブフレームの以前に位置した第２ダウンリンクサブフレームにおいて参照信号を測定して生成されることができる。
【００２０】
前記チャネル状態情報は、前記チャネル状態情報要請を受信した第１ダウンリンクサブフレーム及び前記第１ダウンリンクサブフレームの以後に位置した第２ダウンリンクサブフレームにおいて参照信号を測定して生成されることができる。
例えば、本願発明は以下の項目を提供する。
（項目１）
端末の非周期的チャネル状態情報の転送方法であって、
複数の参照信号に対するチャネル状態情報要請を受信するステップと、
前記複数の参照信号を受信するステップと、
前記チャネル状態情報要請に応じて、前記複数の参照信号の各々に対するチャネル状態情報を生成するステップと、
前記チャネル状態情報をＰＵＳＣＨ（ｐｈｙｓｉｃａｌ  Ｕｐｌｉｎｋ  Ｓｈａｒｅｄ  Ｃｈａｎｎｅｌ）を介して転送するステップとを含むものの、
前記チャネル状態情報要請は、前記複数の参照信号を受信するサブフレームのうち、一部のサブフレームにのみ含まれることを特徴とする方法。
（項目２）
前記チャネル状態情報要請は、前記ＰＵＳＣＨをスケジューリングするダウンリンク制御情報（ｄｏｗｎｌｉｎｋ  Ｃｏｎｔｒｏｌ  ｉｎｆｏｒｍａｔｉｏｎ：ＤＣＩ）に含まれることを特徴とする項目１に記載の方法。
（項目３）
前記複数の参照信号は、複数のダウンリンクサブフレームに位置することを特徴とする項目１に記載の方法。
（項目４）
前記複数の参照信号に対する参照信号設定情報を受信するステップをさらに含むことを特徴とする項目１に記載の方法。
（項目５）
前記チャネル状態情報は、複数のアップリンクサブフレームに位置する複数のＰＵＳＣＨを介して転送されることを特徴とする項目１に記載の方法。
（項目６）
前記複数のＰＵＳＣＨは、前記チャネル状態情報要請を含むＤＣＩに含まれた複数のスケジューリング情報によって指示されることを特徴とする項目５に記載の方法。
（項目７）
前記複数のＰＵＳＣＨは、前記チャネル状態情報要請を含むＤＣＩに含まれた一つのスケジューリング情報及び前記複数のＰＵＣＣＨの数を表す情報により指示されることを特徴とする項目５に記載の方法。
（項目８）
前記チャネル状態情報は、前記チャネル状態情報要請を受信した第１ダウンリンクサブフレーム及び前記第１ダウンリンクサブフレームの以前に位置した第２ダウンリンクサブフレームにおいて参照信号を測定して生成されることを特徴とする項目１に記載の方法。
（項目９）
前記チャネル状態情報は、前記チャネル状態情報要請を受信した第１ダウンリンクサブフレーム及び前記第１ダウンリンクサブフレームの以後に位置した第２ダウンリンクサブフレームにおいて参照信号を測定して生成されることを特徴とする項目１に記載の方法。
（項目１０）
無線信号を送受信するＲＦ部と、
前記ＲＦ部に接続するプロセッサとを備えるものの、
前記プロセッサは、複数の参照信号に対するチャネル状態情報要請を受信し、前記複数の参照信号を受信し、前記チャネル状態情報要請に応じて、前記複数の参照信号の各々に対するチャネル状態情報を生成し、及び前記チャネル状態情報をＰＵＳＣＨ（ｐｈｙｓｉｃａｌ  Ｕｐｌｉｎｋ  Ｓｈａｒｅｄ  Ｃｈａｎｎｅｌ）を介して転送するものの、
前記チャネル状態情報要請は、前記複数の参照信号を受信するサブフレームのうち、一部のサブフレームにのみ含まれることを特徴とする端末。
（項目１１）
前記チャネル状態情報要請は、前記ＰＵＳＣＨをスケジューリングするダウンリンク制御情報（ｄｏｗｎｌｉｎｋ  Ｃｏｎｔｒｏｌ  ｉｎｆｏｒｍａｔｉｏｎ：  ＤＣＩ）に含まれることを特徴とする項目１０に記載の端末。
（項目１２）
前記複数の参照信号は、複数のダウンリンクサブフレームに位置することを特徴とする項目１０に記載の端末。
（項目１３）
前記プロセッサは、前記複数の参照信号に対する参照信号設定情報をさらに受信することを特徴とする項目１０に記載の端末。
（項目１４）
前記チャネル状態情報は、前記チャネル状態情報要請を受信した第１ダウンリンクサブフレーム、及び前記第１ダウンリンクサブフレームの以前に位置した第２ダウンリンクサブフレームにおいて参照信号を測定して生成されることを特徴とする項目１０に記載の端末。
（項目１５）
前記チャネル状態情報は、前記チャネル状態情報要請を受信した第１ダウンリンクサブフレーム、及び前記第１ダウンリンクサブフレームの以後に位置した第２ダウンリンクサブフレームにおいて参照信号を測定して生成されることを特徴とする項目１０に記載の端末。
【発明の効果】
【００２１】
多重ノードシステムにおける各ノードは、互いに異なる参照信号を転送でき、一つの端末に複数のノードが割り当てられることができる。基地局が非周期的チャネル状態情報フィードバックを要請する場合、端末は、複数の参照信号を測定して非周期的チャネル状態情報をフィードバックできる。このとき、従来とは異なり、一回的なチャネル状態情報要請フィールドだけを転送して複数の参照信号に対するチャネル状態情報フィードバックを要請できる。したがって、無線資源の無駄づかいを防止できる。
【図面の簡単な説明】
【００２２】
【図１】図１は、多重ノードシステムの例を示す。
【図２】図２は、３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。
【図３】図３は、３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。
【図４】図４は、一つのダウンリンクスロットに対する資源グリッド（ｒｅｓｏｕｒｃｅ  ｇｒｉｄ）を示した例示図である。
【図５】図５は、ダウンリンクサブフレーム構造の一例を示す。
【図６】図６は、アップリンクサブフレームの構造を示す。
【図７】図７は、資源インデックスと物理的資源のマッピングの一例を示す。
【図８】図８は、ノーマルＣＰにおけるＣＲＳのマッピングを示す。
【図９】図９は、ノーマルＣＰにおけるＣＳＩ−ＲＳ設定０に対するＣＳＩ−ＲＳのマッピングを示す。
【図１０】図１０は、一つの端末が測定しなければならない複数のＣＳＩ−ＲＳを例示する。
【図１１】図１１は、同一のサブフレームにおいて転送される複数のＣＳＩ−ＲＳが同一端末に設定される例を示す。
【図１２】図１２は、本発明の一実施形態にかかる端末のＣＳＩ転送方法を示す。
【図１３】図１３は、本発明の一実施形態にかかるＣＳＩ要請フィールド転送とＣＳＩフィードバック方法の一例を示す。
【図１４】図１４は、本発明の一実施形態にかかるＣＳＩ要請フィールド転送とＣＳＩフィードバック方法の他の例を示す。
【図１５】図１５は、基地局及び端末を示すブロック図である。
【発明を実施するための形態】
【００２３】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使用されることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）により具現化されることができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）  Ｅｖｏｌｕｔｉｏｎ）のような無線技術により具現化されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ  ８０２．１６（ＷｉＭＡＸ）、ＩＥＥＥ  ８０２．２０、Ｅ−ＵＴＲＡ（Ｅｖｏｌｖｅｄ  ＵＴＲＡ）などのような無線技術により具現化されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）は、Ｅ−ＵＴＲＡを使用するＥ−ＵＭＴＳ（Ｅｖｏｌｖｅｄ  ＵＭＴＳ）の一部であって、ダウンリンクにおいてＯＦＤＭＡを採用しアップリンクにおいてＳＣ−ＦＤＭＡを採用する。ＬＴＥ−Ａ（Ａｄｖａｎｃｅｄ）は、ＬＴＥの進化である。
【００２４】
図１は、多重ノードシステムの例を示す。
【００２５】
図１に示すように、多重ノードシステムは、基地局及び複数のノードを備える。
【００２６】
図１において、ノードは、マクロ基地局、ピコセル基地局（ＰｅＮＢ）、ホーム基地局（ＨｅＮＢ）、ＲＲＨ（ｒｅｍｏｔｅ  ｒａｄｉｏ  ｈｅａｄ）、中継器、分散されたアンテナなどを意味できる。このようなノードは、ポイント（ｐｏｉｎｔ）とも称す。
【００２７】
多重ノードシステムにおいて、すべてのノードが一つの基地局コントローラにより送受信が管理されて個別ノードが一つのセルの一部のように動作すれば、このシステムは、一つのセルを形成する分散アンテナシステム（ｄｉｓｔｒｉｂｕｔｅｄ  ａｎｔｅｎｎａ  ｓｙｓｔｅｍ、ＤＡＳ）システムと見なすことができる。分散アンテナシステムにおいて個別ノードは、別途のノードＩＤが付与されても良く、別途のノードＩＤなしでセル内の一部アンテナ集団のように動作しても良い。換言すれば、分散アンテナシステム（ｄｉｓｔｒｉｂｕｔｅｄ  ａｎｔｅｎｎａ  ｓｙｓｔｅｍ、ＤＡＳ）は、アンテナ（すなわちノード）がセル（ｃｅｌｌ）内の多様な位置に分散して配置され、このようなアンテナを基地局が管理するシステムを意味する。分散アンテナシステムは、従来の集中アンテナシステム（Ｃｅｎｔｒａｌｉｚｅｄ  ａｎｔｅｎｎａ  ｓｙｓｔｅｍ，ＣＡＳ）において基地局のアンテナがセルの中央に集中して配置される点と差がある。
【００２８】
多重ノードシステムにおいて個別ノードが個別的なセルＩＤを有し、スケジューリング及びハンドオーバを行う場合、多重セル（例えば、マクロセル／フェムトセル／ピコセル）システムと見なすことができる。このような多重セルがカバレッジによって重なる形態で構成される場合、これを多重階層ネットワーク（ｍｕｌｔｉ−ｔｉｅｒ  ｎｅｔｗｏｒｋ）と称す。
【００２９】
図２は、３ＧＰＰ  ＬＴＥにおけるＦＤＤ（Ｆｒｅｑｕｅｎｃｙ  Ｄｉｖｉｓｉｏｎ  Ｄｕｐｌｅｘ）無線フレームの構造を示す。このような無線フレーム構造をフレーム構造タイプ１と称す。
【００３０】
図２に示すように、ＦＤＤ無線フレーム（ｒａｄｉｏ  ｆｒａｍｅ）は、１０個のサブフレーム（ｓｕｂｆｒａｍｅ）から構成され、一つのサブフレームは、２個の連続するスロット（ｓｌｏｔ）で定義される。一つのサブフレームが転送されるのにかかる時間をＴＴＩ（ｔｒａｎｓｍｉｓｓｉｏｎ  ｔｉｍｅ  ｉｎｔｅｒｖａｌ）という。無線フレームの時間長Ｔｆ＝３０７２００＊Ｔｓ＝１０ｍｓであり、２０個のスロットから構成される。スロットの時間長Ｔｓｌｏｔ＝１５３６０＊Ｔｓ＝０．５ｍｓであり、０から１９でナンバリングされる。各ノードまたは基地局が端末に信号を転送するダウンリンクと端末が各ノードまたは基地局に信号を転送するアップリンクは、周波数領域で区分される。
【００３１】
図３は、３ＧＰＰ  ＬＴＥにおけるＴＤＤ（Ｔｉｍｅ  Ｄｉｖｉｓｉｏｎ  Ｄｕｐｌｅｘ）無線フレーム（ｒａｄｉｏ  ｆｒａｍｅ）構造を示す。このような無線フレーム構造をフレーム構造タイプ２と称す。
【００３２】
図３に示すように、ＴＤＤ無線フレームは、１０ｍｓの長さを有し５ｍｓの長さを有する二つのハーフフレーム（ｈａｌｆ−ｆｒａｍｅ）から構成される。また、一つのハーフフレームは、１ｍｓの長さを有する５個のサブフレームから構成される。一つのサブフレームは、アップリンクサブフレーム（ＵＬ  ｓｕｂｆｒａｍｅ）、ダウンリンクサブフレーム（ＤＬ  ｓｕｂｆｒａｍｅ）、特殊サブフレーム（ｓｐｅｃｉａＬ  ｓｕｂｆｒａｍｅ）のうちの何れか一つに指定される。一つの無線フレームは、少なくとも一つのアップリンクサブフレームと少なくとも一つのダウンリンクサブフレームとを含む。一つのサブフレームは、２個の連続するスロット（ｓｌｏｔ）で定義される。例えば、一つのサブフレームの長さは１ｍｓで、一つのスロットの長さは０．５ｍｓでありうる。
【００３３】
特殊サブフレームは、アップリンクサブフレームとダウンリンクサブフレームとの間でアップリンク及びダウンリンクを分離させる特定区間（ｐｅｒｉｏｄ）である。一つの無線フレームには、少なくとも一つの特殊サブフレームが存在し、特殊サブフレームは、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ）、ＵｐＰＴＳ（Ｕｐｌｉｎｋ  Ｐｉｌｏｔ  Ｔｉｍｅ  Ｓｌｏｔ）を含む。ＤｗＰＴＳは、初期セルサーチ、同期化またはチャネル推定に使用される。ＵｐＰＴＳは、基地局でのチャネル推定と端末の上向き転送同期を合せるのに使用される。保護区間は、アップリンクとダウンリンクとの間にダウンリンク信号の多重経路遅延によりアップリンクにおいて生じる干渉を除去するための区間である。
【００３４】
ＦＤＤ及びＴＤＤ無線フレームにおける一つのスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域で多数の資源ブロック（ｒｅｓｏｕｒｃｅ  ｂｌｏｃｋ、ＲＢ）を含む。ＯＦＤＭシンボルは、３ＧＰＰ  ＬＴＥがダウンリンクにおいてＯＦＤＭＡを使用するので、一つのシンボル区間（ｓｙｍｂｏｌ  ｐｅｒｉｏｄ）を表現するためのものであって、多重接続方式によって、ＳＣ−ＦＤＭＡシンボルのように他の用語で呼ばれることができる。資源ブロックは資源割り当ての単位であり、一つのスロットにおいて複数の連続する副搬送波を含む。
【００３５】
無線フレームの構造は、例示に過ぎず、無線フレームに含まれるサブフレームの数またはサブフレームに含まれるスロットの数、スロットに含まれるＯＦＤＭシンボルの数は多様に変更できる。
【００３６】
図４は、一つのダウンリンクスロットに対する資源グリッドを示した例示図である。
【００３７】
図４に示すように、一つのダウンリンクスロットは、時間領域（ｔｉｍｅ  ｄｏｍａｉｎ）において複数のＯＦＤＭシンボルを含む。ここで、一つのダウンリンクスロットは、７  ＯＦＤＭＡシンボルを含み、一つの資源ブロック（ＲＢ）は、周波数領域において１２副搬送波（ｓｕｂｃａｒｒｉｅｒ）を含むことを例示的に述べるが、これに制限されるものではない。
【００３８】
資源グリッド上の各要素（ｅｌｅｍｅｎｔ）を資源要素（ｒｅｓｏｕｒｃｅ  ｅｌｅｍｅｎｔ）とし、一つの資源ブロック（ＲＢ）は、１２×７個の資源要素を含む。ダウンリンクスロットに含まれる資源ブロックの数ＮＤＬは、セルにおいて設定されるダウンリンク転送帯域幅（ｂａｎｄｗｉｄｔｈ）に従属する。上述したダウンリンクスロットに対する資源グリッドは、アップリンクスロットにも適用されることができる。
【００３９】
図５は、ダウンリンクサブフレーム構造の一例を示す。
【００４０】
図５に示すように、サブフレームは、連続する２個のスロットを含む。サブフレーム内の第１番目のスロットの先の最大３  ＯＦＤＭシンボルがダウンリンク制御チャネルが割り当てられる制御領域（ｃｏｎｔｒｏｌ  ｒｅｇｉｏｎ）で、残りのＯＦＤＭシンボルは、ＰＤＳＣＨ（Ｐｈｙｓｉｃａｌ  Ｄｏｗｎｌｉｎｋ  Ｓｈａｒｅｄ  Ｃｈａｎｎｅｌ）が割り当てられるデータ領域になることができる。
【００４１】
ダウンリンク制御チャネルには、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などが含まれる。サブフレームの第１番目のＯＦＤＭシンボルにおいて転送されるＰＣＦＩＣＨは、サブフレーム内で制御チャネルの転送に使用されるＯＦＤＭシンボルの数（すなわち、制御領域の大きさ）に関する情報を運ぶ。ＰＤＣＣＨを介して転送される制御情報をダウンリンク制御情報（ｄｏｗｎｌｉｎｋ  Ｃｏｎｔｒｏｌ  ｉｎｆｏｒｍａｔｉｏｎ、以下、ＤＣＩとする）という。ＤＣＩは、アップリンク資源割り当て情報、ダウンリンク資源割り当て情報及び任意のＵＥグループに対するアップリンク転送パワー制御命令（Ｔｒａｎｓｍｉｔ  Ｐｏｗｅｒ  Ｃｏｎｔｒｏｌ  Ｃｏｍｍａｎｄ）などを含む。ＤＣＩは、多様なフォーマットを有する。ＤＣＩフォーマット０は、ＰＵＳＣＨスケジューリングのために使用される。ＤＣＩフォーマット０を介して転送される情報（フィールド）は、次の通りである。
【００４２】
１）ＤＣＩフォーマット０とＤＣＩフォーマット１Ａを区分するためのフラグ（０であるとＤＣＩフォーマット０を指し示し、１であるとＤＣＩフォーマット１Ａを指し示す）、２）ホッピングフラグ（１ビット）、３）資源ブロック指定及びホッピング資源割り当て、４）変調及びコーディングスキーム及びリダンダンシーバージョン（ｒｅｄｕｎｄａｎｃｙ  ｖｅｒｓｉｏｎ）（５ビット）、５）新しいデータ指示子（１ビット）、６）スケジューリングされたＰＵＳＣＨに対したＴＰＣ命令（２ビット）、７）ＤＭ−ＲＳのための循環シフト（３ビット）、８）ＵＬインデックス、９）ダウンリンク指定インデックス（ＴＤＤにのみ）、１０）ＣＱＩ要請（ＣＱＩ  ｒｅｑｕｅｓｔ）などである。仮に、ＤＣＩフォーマット０において情報ビットの数がＤＣＩフォーマット１Ａのペイロードサイズより小さな場合には、ＤＣＩフォーマット１Ａがペイロードサイズと同一になるように「０」がパッド（ＰＡＤ）される。
【００４３】
ＤＣＩフォーマット１は、一つのＰＤＳＣＨコードワードスケジューリングに使用される。ＤＣＩフォーマット１Ａは、一つのＰＤＳＣＨコードワードの簡単な（ｃｏｍｐａｃｔ）スケジューリングまたはランダムアクセス過程に使用される。ＤＣＩフォーマット１Ｂは、プレコード情報を含んで一つのＰＤＳＣＨコードワードに対する簡単なスケジューリングに使用される。ＤＣＩフォーマット１Ｃは、一つのＰＤＳＣＨコードワードに対する非常に簡単なスケジューリング（ｖｅｒｙ  ｃｏｍｐａｃｔ  ｓｃｈｅｄｕｌｉｎｇ）に使用される。ＤＣＩフォーマット１Ｄは、プレコード及び電力オフセット情報を含み、一つのＰＤＳＣＨコードワードに対する簡単なスケジューリングに使用される。ＤＣＩフォーマット２は、閉ループＭＩＭＯ動作のためのＰＤＳＣＨ指定のために使用される。ＤＣＩフォーマット２Ａは、開放ループＭＩＭＯ動作のためのＰＤＳＣＨ指定のために使用される。ＤＣＩフォーマット３は、２ビットの電力調整によりＰＵＣＣＨ及びＰＵＳＣＨに対したＴＰＣ命令を転送するために使用される。ＤＣＩフォーマット３Ａは、１ビットの電力調整によりＰＵＣＣＨ及びＰＵＳＣＨに対したＴＰＣ命令を転送するために使用される。
【００４４】
ＰＨＩＣＨは、アップリンクデータのＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。すなわち、端末が転送したアップリンクデータに対するＡＣＫ／ＮＡＣＫ信号は、ＰＨＩＣＨ上へ基地局により転送される。
【００４５】
ＰＤＳＣＨは、制御情報及び／またはデータが転送されるチャネルである。端末は、ＰＤＣＣＨを介して転送される制御情報をデコードして、ＰＤＳＣＨを介して転送されるデータを読むことができる。
【００４６】
図６は、アップリンクサブフレームの構造を示す。
【００４７】
アップリンクサブフレームは、周波数領域において制御領域とデータ領域とに分けられることができる。制御領域には、アップリンク制御情報（ｕｐｌｉｎｋ  ｃｏｎｔｒｏｌ  ｉｎｆｏｒｍａｔｉｏｎ、ＵＣＩ）が転送されるためのＰＵＣＣＨ（Ｐｈｙｓｉｃａｌ  Ｕｐｌｉｎｋ  Ｃｏｎｔｒｏｌ  Ｃｈａｎｎｅｌ）が割り当てられる。データ領域は、アップリンクデータ及び／またはアップリンク制御情報が転送されるためのＰＵＳＣＨ（Ｐｈｙｓｉｃａｌ  Ｕｐｌｉｎｋ  Ｓｈａｒｅｄ  Ｃｈａｎｎｅｌ）が割り当てられる。このような意味において制御領域は、ＰＵＣＣＨ領域と称すことができ、データ領域は、ＰＵＳＣＨ領域と称すことができる。上位階層により指示される設定情報に応じて、端末は、ＰＵＳＣＨとＰＵＣＣＨの同時転送を支援するか、またはＰＵＳＣＨとＰＵＣＣＨの同時転送を支援しない。
【００４８】
ＰＵＳＣＨは、転送チャネル（ｔｒａｎｓｐｏｒｔ  ｃｈａｎｎｅｌ）であるＵＬ−ＳＣＨ（Ｕｐｌｉｎｋ  Ｓｈａｒｅｄ  Ｃｈａｎｎｅｌ）にマッピングされる。ＰＵＳＣＨ上へ転送されるアップリンクデータは、ＴＴＩの間に転送されるＵＬ−ＳＣＨのためのデータブロックである転送ブロック（ｔｒａｎｓｐｏｒｔ  ｂｌｏｃｋ）でありうる。前記転送ブロックは、ユーザ情報でありうる。または、アップリンクデータは、多重化された（ｍｕｌｔｉｐｌｅｘｅｄ）データでありうる。多重化されたデータは、ＵＬ−ＳＣＨのための転送ブロックとアップリンク制御情報が多重化されたことでありうる。例えば、アップリンクデータに多重化されるアップリンク制御情報には、ＣＱＩ（ｃｈａｎｎｅｌ  ｑｕａｌｉｔｙ  ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＨＡＲＱ（ｈｙｂｒｉｄ  Ａｕｔｏｍａｔｉｃ  Ｒｅｐｅａｔ  Ｒｅｑｕｅｓｔ）、ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）、ＲＩ（Ｒａｎｋ  Ｉｎｄｉｃａｔｏｒ）、ＰＴＩ（ｐｒｅｃｏｄｉｎｇ  ｔｙｐｅ  ｉｎｄｉｃａｔｉｏｎ）などがありうる。このようにアップリンク制御情報がアップリンクデータと共にデータ領域より転送されるのをＵＣＩのピギーバック（ｐｉｇｇｙｂａｃｋ）転送という。ＰＵＳＣＨでは、アップリンク制御情報だけが転送されることができる。
【００４９】
一つの端末に対するＰＵＣＣＨは、サブフレームにおいて資源ブロック対（ＲＢ  ｐａｉｒ）として割り当てられる。資源ブロック対に属する資源ブロックは、第１スロットと第２スロットのそれぞれにおいて互いに異なる副搬送波を占める。ＰＵＣＣＨに割り当てられる資源ブロック対に属する資源ブロックが占める周波数は、スロット境界（ｓｌｏｔ  ｂｏｕｎｄａｒｙ）を基準に変更される。これをＰＵＣＣＨに割り当てられるＲＢ対がスロットの境界で周波数がホッピング（ｆｒｅｑｕｅｎｃｙ−ｈｏｐｐｅｄ）されたと呼ぶ。端末がアップリンク制御情報を時間に応じて互いに異なる副搬送波を介して転送することによって、周波数ダイバーシティ（ｄｉｖｅｒｓｉｔｙ）利得を得ることができる。
【００５０】
ＰＵＣＣＨは、フォーマット（ｆｏｒｍａｔ）に応じて多様な種類の制御情報を運ぶ。ＰＵＣＣＨフォーマット１は、スケジューリング要請（ＳＲ；  Ｓｃｈｅｄｕｌｉｎｇ  Ｒｅｑｕｅｓｔ）を運ぶ。このとき、（Ｏｎ−Ｏｆｆ  Ｋｅｙｉｎｇ）方式が適用されることができる。ＰＵＣＣＨフォーマット１ａは、一つのコードワード（ｃｏｄｅｗｏｒｄ）に対してＢＰＳＫ（Ｂｉｔ  Ｐｈａｓｅ  Ｓｈｉｆｔ  Ｋｅｙｉｎｇ）方式で変調されたＡＣＫ／ＮＡＣＫ（Ａｃｋｎｏｗｌｅｄｇｅｍｅｎｔ／Ｎｏｎ−Ａｃｋｎｏｗｌｅｄｇｅｍｅｎｔ）を運ぶ。ＰＵＣＣＨフォーマット１ｂは、２個のコードワードに対してＱＰＳＫ（Ｑｕａｄｒａｔｕｒｅ  Ｐｈａｓｅ  Ｓｈｉｆｔ  Ｋｅｙｉｎｇ）方式で変調されたＡＣＫ／ＮＡＣＫを運ぶ。ＰＵＣＣＨフォーマット２は、ＱＰＳＫ方式で変調されたＣＱＩ（Ｃｈａｎｎｅｌ  Ｑｕａｌｉｔｙ  Ｉｎｄｉｃａｔｏｒ）を運ぶ。ＰＵＣＣＨフォーマット２ａと２ｂは、ＣＱＩとＡＣＫ／ＮＡＣＫを運ぶ。ＰＵＣＣＨフォーマット３は、ＱＰＳＫ方式で変調され、複数のＡＣＫ／ＮＡＣＫ、ＳＲを運ぶことができる。
【００５１】
各ＰＵＣＣＨフォーマットは、ＰＵＣＣＨ領域にマッピングされて転送される。例えば、ＰＵＣＣＨフォーマット２／２ａ／２ｂは、端末に割り当てられた帯域エッジの資源ブロック（図６においてｍ＝０，１）にマッピングされて転送される。混合ＰＵＣＣＨ資源ブロック（ｍｉｘｅｄ  ＰＵＣＣＨ  ＲＢ）は、前記ＰＵＣＣＨフォーマット２／２ａ／２ｂが割り当てられる資源ブロックに前記帯域の中心方向に隣接した資源ブロック（例えば、ｍ＝２）にマッピングされて転送されることができる。ＳＲ、ＡＣＫ／ＮＡＣＫが転送されるＰＵＣＣＨフォーマット１／１ａ／１ｂは、ｍ＝４またはｍ＝５の資源ブロックに配置されることができる。ＣＱＩが転送されるＰＵＣＣＨフォーマット２／２ａ／２ｂに使用されうる資源ブロックの数（Ｎ（２）ＲＢ）は、ブロードキャストされる信号を介して端末に指示されることができる。
【００５２】
すべてのＰＵＣＣＨフォーマットは、各ＯＦＤＭシンボルにおいてシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）だけ循環シフトさせて生成される。特定ＣＳ量は、循環シフトインデックス（ＣＳ  ｉｎｄｅｘ）により指示される。
【００５３】
基本シーケンスｒｕ（ｎ）を定義した一例は、次の式のとおりである。
【００５４】
【数１】
0005755369.tif 000002
【００５５】
式中、ｕは、ルートインデックス（ｒｏｏｔ  ｉｎｄｅｘ）、ｎは、要素インデックスであって、０≦ｎ≦Ｎ−１、Ｎは、基本シーケンスの長さである。ｂ（ｎ）は、３ＧＰＰ  ＴＳ  ３６．２１１  Ｖ８．７．０の５．５節で定義されている。
【００５６】
シーケンスの長さは、シーケンスに含まれる要素（ｅｌｅｍｅｎｔ）の数と同一である。ｕは、セルＩＤ（ｉｄｅｎｔｉｆｉｅｒ）、無線フレーム内のスロット番号などにより決まることができる。基本シーケンスが周波数領域において一つの資源ブロックにマッピング（ｍａｐｐｉｎｇ）されるとする場合、一つの資源ブロックが１２副搬送波を含むので、基本シーケンスの長さＮは１２になる。他のルートインデックスに応じて異なる基本シーケンスが定義される。
【００５７】
基本シーケンスｒ（ｎ）を次の式２のように循環シフトさせて、循環シフトされたシーケンスｒ（ｎ、Ｉｃｓ）を生成できる。
【００５８】
【数２】
0005755369.tif 000003
【００５９】
ここで、Ｉｃｓは、ＣＳ量を表す循環シフトインデックスである（０≦Ｉｃｓ≦Ｎ−１）。
【００６０】
基本シーケンスの可用（ａｖａｉｌａｂｌｅ）循環シフトインデックスは、ＣＳ間隔（ＣＳ  ｉｎｔｅｒｖａｌ）に応じて基本シーケンスから得る（ｄｅｒｉｖｅ）ことのできる循環シフトインデックスのことを言う。例えば、基本シーケンスの長さが１２で、ＣＳ間隔が１であると、基本シーケンスの可用循環シフトインデックスの総数は１２になる。または、基本シーケンスの長さが１２で、ＣＳ間隔が２であると、基本シーケンスの可用循環シフトインデックスの総数は６になる。直交シーケンスインデックスｉ、循環シフトインデックスＩｃｓ及び資源ブロックインデックスｍは、ＰＵＣＣＨを構成するために必要なパラメーターで、かつＰＵＣＣＨ（または端末）を区分するのに使用される資源である。
【００６１】
３ＧＰＰ  ＬＴＥでは、端末がＰＵＣＣＨを構成するための前記３個のパラメーターを獲得するために、資源インデックス（ＰＵＣＣＨ資源インデックスとも称す）ｎ（１）ＰＵＵＣＨ、ｎ（２）ＰＵＵＣＨが定義される。ここで、ｎ（１）ＰＵＵＣＨは、ＰＵＣＣＨフォーマット１／１ａ／１ｂのための資源インデックスで、ｎ（２）ＰＵＵＣＨは、ＰＵＣＣＨフォーマット２／２ａ／２ｂのための資源インデックスである。資源インデックスｎ（１）ＰＵＵＣＨ＝ｎＣＣＥ＋Ｎ（１）ＰＵＵＣＨで定義されるが、ｎＣＣＥは、対応するＤＣＩ（すなわち、ＡＣＫ／ＮＡＣＫ信号に対応するダウンリンクデータの受信に使用されたダウンリンク資源割り当て）の転送に使用される第１番目のＣＣＥの番号で、Ｎ（１）ＰＵＵＣＨは、基地局が端末に上位階層メッセージを介して知らせるパラメーターである。さらに具体的には、以下のとおりである。
【００６２】
【化１】
0005755369.tif 000004
【００６３】
ｎ（２）ＰＵＵＣＨは、端末特定的に与えられ、半静的にＲＲＣのような上位階層信号により設定される。ＬＴＥにおいてｎ（２）ＰＵＵＣＨは、「ＣＱＩ−ＲｅｐｏｒｔＣｏｎｆｉｇ」というＲＲＣメッセージに含まれる。
【００６４】
端末は、資源インデックスｎ（１）ＰＵＵＣＨ、ｎ（２）ＰＵＵＣＨを利用して直交シーケンスインデックス、循環シフトインデックスなどを決定する。
【００６５】
端末は、資源インデックスにマッピングされる物理的資源を利用してＰＵＣＣＨを転送する。
【００６６】
図７は、資源インデックスと物理的資源のマッピングの一例を示す。
【００６７】
端末は、資源インデックスに基づいて資源ブロックインデックスｍを計算し、ＰＵＣＣＨフォーマットに応じて物理的資源を割り当てた後ＰＵＣＣＨを転送する。各端末別に割り当てられる資源インデックスとマッピングされる物理的資源ブロックとの間には、次のような関係がある。
【００６８】
【化２】
0005755369.tif 000005
【００６９】
多重ノードシステムにおいて、各ノード別にまたはノードグループ別に互いに異なる参照信号を転送できる。まず、参照信号について説明する。
【００７０】
ＬＴＥ  Ｒｅｌ−８では、チャネル測定とＰＤＳＣＨに対したチャネル推定のために、ＣＲＳ（ｃｅｌｌ  ｓｐｅｃｉｆｉｃ  ｒｅｆｅｒｅｎｃｅ  ｓｉｇｎａｌ）を使用する。
【００７１】
図８は、ノーマルＣＰにおけるＣＲＳのマッピングを示す。
【００７２】
図８に示すように、複数のアンテナを使用する多重アンテナ転送の場合、各アンテナごとに資源グリッドが存在し、各アンテナのための少なくとも一つの参照信号が各々の資源グリッドにマッピングされることができる。各アンテナ別参照信号は参照シンボルから構成されるが、図８においてＲｐは、アンテナポートｐの参照シンボルを示す（ｐ∈｛０，１，２，３｝）。Ｒ０ないしＲ３は、互いに重複する資源要素にマッピングされない。
【００７３】
一つのＯＦＤＭシンボルにおいて、各Ｒｐは、６副搬送波間隔で位置できる。サブフレーム内のＲ０の数とＲ１の数は同一で、Ｒ２の数とＲ３の数は同一である。サブフレーム内のＲ２、Ｒ３の数は、Ｒ０、Ｒ１の数より少ない。Ｒｐは、ｐ番アンテナを除いた他のアンテナを介しては、如何なる転送にも使用されない。
【００７４】
ＬＴＥ−Ａでは、チャネル測定、ＰＤＳＣＨに対したチャネル推定のためにＣＲＳと別途にＣＳＩ−ＲＳ（ｃｈａｎｎｅｌ  ｓｔａｔｕｓ  ｉｎｆｏｒｍａｔｉｏｎ  ｒｅｆｅｒｅｎｃｅ  ｓｉｇｎａｌ）が使用されることができる。以下、ＣＳＩ−ＲＳについて説明する。
【００７５】
ＣＳＩ−ＲＳは、ＣＲＳとは異なり、異種ネットワーク環境を含む多重セル環境においてセル間干渉（ｉｎｔｅｒ−ｃｅｌｌ  ｉｎｔｅｒｆｅｒｅｎｃｅ、ＩＣＩ）を減らすために、最大３２通りの互いに異なる設定が存在する。
【００７６】
ＣＳＩ−ＲＳに対する設定は、セル内のアンテナポート数に応じて互いに異なり、隣接セル間に最大限互いに異なる設定になるように与えられる。ＣＳＩ−ＲＳは、ＣＰタイプによって区分され、フレーム構造タイプ（フレーム構造タイプ１は、ＦＤＤ、フレーム構造タイプ２は、ＴＤＤ）によってフレーム構造タイプ１、フレーム構造タイプ２に全部適用される設定と、フレーム構造タイプ２にのみ適用される設定とに区分される。
【００７７】
ＣＳＩ−ＲＳは、ＣＲＳとは異なり、最大８アンテナポートまで支援し、アンテナポートｐは、｛１５｝、｛１５，１６｝、｛１５，１６，１７，１８｝、｛１５，．．．，２２｝が支援される。すなわち、１個、２個、４個、８個のアンテナポートを支援する。副搬送波間の間隔Δｆは、１５ｋＨｚに対してだけ定義される。
【００７８】
ＣＳＩ−ＲＳに対するシーケンスｒｌ，ｎｓ（ｍ）は、次の式のように生成される。
【００７９】
【数３】
0005755369.tif 000006
【００８０】
前記式３中、ｎｓは、無線フレーム内でスロットナンバーで、ｌは、スロット内でのＯＦＤＭシンボルナンバーである。ｃ（ｉ）は、疑似ランダムシーケンス（ｐｓｅｕｄｏ  ｒａｎｄｏｍ  ｓｅｑｕｅｎｃｅ）であり、ｃｉｎｉｔとして各ＯＦＤＭシンボルから始まる。ＮＩＤｃｅｌｌは、物理階層セルＩＤを意味する。
【００８１】
ＣＳＩ−ＲＳを転送するように設定されたサブフレームにおいて、参照信号シーケンスｒｌ，ｎｓ（ｍ）は、アンテナポートｐに対した参照シンボルとして使用される複素値変調シンボルａｋ，ｌ（ｐ）にマッピングされる。
【００８２】
ｒｌ，ｎｓ（ｍ）とａｋ，ｌ（ｐ）の関係は、次の式のとおりである。
【００８３】
【数４】
0005755369.tif 000007
【００８４】
前記式４中、（ｋ’，ｌ’）とｎｓは、後述する表１及び表２において与えられる。ＣＳＩ−ＲＳは、（ｎｓ  ｍｏｄ  ２）が後述する表１及び表２の条件を満たすダウンリンクスロットにおいて転送されることができる（ｍｏｄは、モジュラー演算を意味する。すなわち、２でｎｓを割り算をした残りを意味する）。
【００８５】
次の表は、ノーマルＣＰに対したＣＳＩ−ＲＳ設定を示す。
【００８６】
【表１】
0005755369.tif 000008
【００８７】
次の表は、拡張ＣＰに対したＣＳＩ−ＲＳ設定を示す。
【００８８】
【表２】
0005755369.tif 000009
【００８９】
ＣＳＩ−ＲＳを含むサブフレームは、次の式を満たさなければならない。
【００９０】
【数５】
0005755369.tif 000010
【００９１】
また、ＣＳＩ−ＲＳは、次の表３の条件を満たすサブフレームにおいて転送されることができる。
【００９２】
次の表３は、デューティーサイクルと関連したＣＳＩ−ＲＳサブフレーム設定を示す。ｎｆは、システムフレームナンバーである。
【００９３】
【表３】
0005755369.tif 000011
【００９４】
前記表３において「ＣＳＩ−ＲＳ−ＳｕｂｆｒａｍｅＣｏｎｆｉｇ」すなわち、ＩＣＳＩ−ＲＳは、上位階層により与えられる値であって、ＣＳＩ−ＲＳサブフレーム設定を示す。ＴＣＳＩ−ＲＳは、セル特定的サブフレーム設定周期を示し、ΔＣＳＩ−ＲＳは、セル特定的サブフレームオフセットを示す。ＣＳＩ−ＲＳは、ＣＱＩ／ＣＳＩフィードバックに応じて５種類のデューティーサイクルを支援し、各セルにおいて互いに異なるサブフレームオフセットを有して転送されることができる。
【００９５】
図９は、ノーマルＣＰにおけるＣＳＩ−ＲＳ設定０に対するＣＳＩ−ＲＳのマッピングを示す。
【００９６】
図９に示すように、２個のアンテナポート、例えば、ｐ＝｛１５，１６｝，｛１７，１８｝，｛１９，２０｝，｛２１，２２｝に対して連続する２個の同じ資源要素を使用してＣＳＩ−ＲＳを転送するものの、ＯＣＣ（ｏｒｔｈｏｇｏｎａｌ  Ｃｏｖｅｒ  ｃｏｄｅ）を使用して転送する。
【００９７】
複数のＣＳＩ−ＲＳ設定が与えられたセルにおいて使用できるが、端末がｎｏｎ−ｚｅｒｏ転送電力を仮定する一つのＣＳＩ−ＲＳ設定と端末がｚｅｒｏ転送電力を仮定するＣＳＩ−ＲＳ設定を一つ以上またはないように設定できる。
【００９８】
ＣＳＩ−ＲＳは、次の場合に転送されない。
【００９９】
１．フレーム構造タイプ２の特別サブフレーム（ｓｐｅｃｉａＬ  ｓｕｂｆｒａｍｅ）
２．同期化信号、ＰＢＣＨ、ＳＩＢと衝突する場合
３．ページングメッセージが転送されるサブフレーム
集合Ｓの任意のアンテナポートに対するＣＳＩ−ＲＳの転送に使用される資源要素（ｋ，ｌ）は、同一スロットにおいて任意のアンテナポートに対するＰＤＳＣＨの転送に使用されない。また、前記資源要素（ｋ，ｌ）は、同一スロットにおいて前記Ｓを除いた他の任意のアンテナポートに対するＣＳＩ−ＲＳ転送に使用されない。ここで、集合Ｓに含まれるアンテナポートは、｛１５，１６｝，｛１７，１８｝，｛１９，２０｝，｛２１，２２｝である。
【０１００】
上述したＣＳＩ−ＲＳの転送に必要なパラメーターは、１．ＣＳＩ−ＲＳポートナンバー、２．ＣＳＩ−ＲＳ設定情報、３．ＣＳＩ−ＲＳサブフレーム設定（ＩＣＳＩ−ＲＳ）、４．サブフレーム設定周期（ＴＣＳＩ−ＲＳ）、５．サブフレームオフセットΔＣＳＩ−ＲＳ等であり、このようなパラメーターはセル特定的で、上位階層シグナルリングを介して与えられる。
【０１０１】
基地局は、上述したＣＲＳ、ＣＳＩ−ＲＳのような参照信号を多重ノードシステムにおいて端末が各ノードを識別できるように適用できる。
【０１０２】
端末は、参照信号を測定してチャネル状態情報（ｃｈａｎｎｅｌ  ｓｔａｔｅ  ｉｎｆｏｒｍａｔｉｏｎ：  ＣＳＩ）を生成した後、基地局またはノードにフィードバックまたはレポートできる。チャネル状態情報は、ＣＱＩ、ＰＭＩ、ＲＩなどを含む。
【０１０３】
チャネル状態情報を転送する方式には、周期的転送（ｐｅｒｉｏｄｉｃ  ｔｒａｎｓｍｉｓｓｉｏｎ）と非周期的転送（ａｐｅｒｉｏｄｉｃ  ｔｒａｎｓｍｉｓｓｉｏｎ）がある。
【０１０４】
周期的転送は、普通ＰＵＣＣＨを介して転送されるが、ＰＵＳＣＨを介して転送されても良い。非周期的転送は、基地局がより精密なチャネル状態情報が必要な場合、端末に要請して行われる。基地局は、ＣＳＩ要請（例えば、ＤＣＩフォーマット０に含まれたＣＱＩ要請）を転送し、端末は、ＣＳＩ要請を含むサブフレームの参照信号を測定してＣＳＩをフィードバックする。このような非周期的転送は、ＰＵＳＣＨを介して行われる。ＰＵＳＣＨを使用するから、より容量が大きくて詳細なチャネル状態レポートが可能である。周期的転送と非周期的転送とが衝突すると、非周期的転送だけが転送される。
【０１０５】
上述したように、非周期的ＣＳＩフィードバックは、基地局の要請がある場合に行われる。基地局は、端末が接続する場合、ランダムアクセス応答グラント（ｒａｎｄｏｍ  ａｃｃｅｓｓ  ｒｅｓｐｏｎｓｅ  ｇｒａｎｔ）を端末に転送する時に、ＣＳＩフィードバックを要請できる。または、接続した端末にアップリンクスケジューリング情報を転送するＤＣＩフォーマットを使用して、ＣＳＩフィードバックを要請することもできる。従来、ＣＳＩフィードバックを要請するＣＳＩ要請フィールドは、１ビットまたは２ビットからなる。１ビットの場合、「０」であれば、ＣＳＩリポートがトリガー（ｔｒｉｇｇｅｒｉｎｇ）にならず、「１」であれば、ＣＳＩリポートがトリガーになる。２ビットの場合は、次の表のとおりである。
【０１０６】
【表４】
0005755369.tif 000012
【０１０７】
ＣＳＩ要請フィールドによりＣＳＩリポートがアクティブになれば、端末は、ＤＣＩフォーマット０において指定したＰＵＳＣＨ資源を介して非周期的ＣＳＩをフィードバックする。このとき、レポートモードに応じてどのＣＳＩをフィードバックするかが決定される。例えば、レポートモードに応じて、広帯域ＣＱＩ、端末選択的ＣＱＩ、上位階層設定ＣＱＩのうち、どのＣＱＩをフィードバックするかが決定される。また、ＣＱＩと共にどの種類のＰＭＩをフィードバックするかも決定される。ＰＵＳＣＨレポートモードは、上位階層メッセージを介して半静的に設定され、その一例は、次の表５のとおりである。
【０１０８】
【表５】
0005755369.tif 000013
【０１０９】
ＰＤＣＣＨを介してトリガーにならなければ転送されない非周期的ＣＳＩフィードバックとは異なり、周期的ＣＳＩフィードバックは、上位階層メッセージを介して半静的に設定される。周期的ＣＳＩフィードバックの周期ＮｐｄとサブフレームオフセットＮＯＦＦＳＥＴ，ＣＱＩは、「ｃｑｉ−ｐｍｉ−ＣｏｎｆｉｇＩｎｄｅｘ」（すなわち、ＩＣＱＩ／ＰＭＩ）というパラメーターを介して上位階層メッセージ（例えば、ＲＲＣメッセージ）として端末に伝達される。このパラメーター（ＩＣＱＩ／ＰＭＩ）と周期、サブフレームオフセットの関係は、ＦＤＤの場合に表６、ＴＤＤの場合に表７のとおりである。
【０１１０】
【表６】
0005755369.tif 000014
【０１１１】
【表７】
0005755369.tif 000015
【０１１２】
周期的なＰＵＣＣＨレポートモードは、次の表のとおりである。
【０１１３】
【表８】
0005755369.tif 000016
【０１１４】
端末は、チャネル状態情報、例えば、ＣＱＩをフィードバックするために特定資源領域の参照信号を測定しなければならない。ＣＱＩを生成するために測定しなければならない資源をＣＱＩ参照資源（ＣＱＩ  ｒｅｆｅｒｅｎｃｅ  ｒｅｓｏｕｒｃｅ）と称す。端末がアップリンクサブフレームｎにおいてＣＱＩをフィードバックすると仮定しよう。このとき、ＣＱＩ参照資源は、周波数領域においてＣＱＩ値に関連した周波数帯域に対応するダウンリンク物理的資源ブロックのグループとして定義され、時間領域で一つのダウンリンクサブフレームｎ−ｎＣＱＩ＿ｒｅｆとして定義される。
【０１１５】
周期的ＣＱＩフィードバックにおいて、ｎＣＱＩ＿ｒｅｆは、有効なダウンリンクサブフレームに対応する４以上の値のうち、最も小さな値である。非周期的ＣＱＩフィードバックにおいて、ｎＣＱＩ＿ｒｅｆは、対応するＣＱＩ要請を含むＤＣＩフォーマットを含む有効なダウンリンクサブフレームを指し示す。すなわち、非周期的ＣＱＩフィードバックにおいてＣＱＩ参照資源は、ＣＱＩ要請フィールドを含む有効なダウンリンクサブフレームである。
【０１１６】
非周期的ＣＱＩフィードバックにおいて、ダウンリンクサブフレームｎ−ｎＣＱＩ＿ｒｅｆがランダムアクセス応答グラント（Ｒａｎｄｏｍ  Ａｃｃｅｓｓ  Ｒｅｓｐｏｎｓｅ  Ｇｒａｎｔ）に含まれたＣＱＩ要請を含むサブフレームの以後に受信されると、ｎＣＱＩ＿ｒｅｆは４で、ダウンリンクサブフレームｎ−ｎＣＱＩ＿ｒｅｆは、有効なダウンリンクサブフレームに対応される。
【０１１７】
ダウンリンクサブフレームは、次の条件を満たすと、有効なダウンリンクサブフレームとして見なされる。
【０１１８】
１．端末にダウンリンクサブフレームとして設定され、２．転送モード９を除いて、ＭＢＳＦＮ（ｍｕｌｔｉｃａｓｔ−ｂｒｏａｄｃａｓｔ  ｓｉｎｇｌｅ  ｆｒｅｑｕｅｎｃｙ  ｎｅｔｗｏｒｋ）サブフレームではなく、３．ＤｗＰＴＳフィールドの長さが７６８０Ｔｓ以下ではなく、４．端末のために設定された測定ギャップに該当してはならない。
【０１１９】
仮に、ＣＱＩ参照資源のための有効なダウンリンクサブフレームがないと、アップリンクサブフレームｎにおいてＣＱＩフィードバックは省略される。
【０１２０】
階層領域（ｌａｙｅｒ  ｄｏｍａｉｎ）において、ＣＱＩ参照資源は、該当ＣＱＩ値を条件にしたＲＩ、ＰＭＩ値により定義される。
【０１２１】
ＣＱＩ参照資源において端末は、ＣＱＩインデックスを誘導するために次のような仮定下に動作する。
【０１２２】
１．ＣＱＩ参照資源において最初の３ＯＦＤＭシンボルは、制御信号により占有される。
【０１２３】
２．ＣＱＩ参照資源においてＰＳＳ（ｐｒｉｍａｒｙ  ｓｙｎｃｈｒｏｎｉｚａｔｉｏｎ  ｓｉｇｎａｌ）、ＳＳＳ（ｓｅｃｏｎｄａｒｙ  ｓｙｎｃｈｒｏｎｉｚａｔｉｏｎ  ｓｉｇｎａｌ）またはＰＢＣＨ（ｐｈｙｓｉｃａｌ  ｂｒｏａｄｃａｓｔ  ｃｈａｎｎｅｌ）により使用される資源要素はない。
【０１２４】
３．ＣＱＩ参照資源において非−ＭＢＳＦＮ（ｎｏｎ−ＭＢＳＦＮ）サブフレームのＣＰ長を仮定。
【０１２５】
４．リダンダンシーバージョン０
次の表は、ＣＱＩ参照資源のために仮定されるＰＤＳＣＨの転送モードを示す。
【０１２６】
【表９】
0005755369.tif 000017
【０１２７】
転送モード９及びそのフィードバックレポートモードにおいて端末は、ただＣＳＩ−ＲＳに基づいてＣＱＩを計算するためのチャネル測定を行う。その他の転送モード及び該当レポートモードでは、ＣＲＳに基づいてＣＱＩを計算するためのチャネル測定を行う。端末は、特定条件下で下記表のＣＱＩインデックス１ないし１５のうち、最も高いＣＱＩインデックス値をレポートする。前記特定条件とは、ＣＱＩインデックスに対応する変調方式及び転送ブロックサイズを有する単一のＰＤＳＣＨ転送ブロックがＣＱＩ参照資源を占有するとき、０．１エラー確率を超えないように受信可能でなければならないということである。
【０１２８】
端末がフィードバックするＣＱＩインデックスとその解釈は、次の表のとおりである。
【０１２９】
【表１０】
0005755369.tif 000018
【０１３０】
多重ノードシステムでは、端末に複数のノードまたはノードグループが割り当てられることができ、各ノードまたはノードグループ別に互いに異なる参照信号を使用することができる。この場合、基地局は、端末に複数の参照信号に対する非周期的ＣＳＩフィードバック（レポート）を要請できる。そうすると、端末は、複数の参照信号を測定し、各参照信号に対するＣＳＩ（例えば、ＣＱＩ）をレポートできる。
【０１３１】
図１０は、一つの端末が測定しなければならない複数のＣＳＩ−ＲＳを例示する。
【０１３２】
図１０に示すように、端末にＣＳＩ−ＲＳ  ＃０、ＣＳＩ−ＲＳ  ＃１が設定されることができる。ＣＳＩ−ＲＳ  ＃０は、ノード＃Ｎが転送するＣＳＩ−ＲＳでありえ、ＣＳＩ−ＲＳ  ＃１は、ノード＃Ｍが転送するＣＳＩ−ＲＳでありうる。
【０１３３】
ＣＳＩ−ＲＳ  ＃０の転送周期とＣＳＩ−ＲＳ  ＃１の転送周期は、同一でありうる。例えば、ＣＳＩ−ＲＳ  ＃０は、サブフレームｎ＋１０ｍにおいて転送されることができる（ｍは、０または自然数）。ＣＳＩ−ＲＳ  ＃１は、サブフレームｎ＋１＋１０ｍにおいて転送されることができる。
【０１３４】
図１０に示すように、同じ端末に互いに異なるサブフレームにおいて転送されるＣＳＩ−ＲＳが設定されることができる。しかし。これに制限されるものでない。すなわち、同じ端末に同一のサブフレームにおいて転送される複数のＣＳＩ−ＲＳが設定されることができる。
【０１３５】
図１１は、同一のサブフレームにおいて転送される複数のＣＳＩ−ＲＳが同一端末に設定される例を示す。
【０１３６】
図１１に示すように、サブフレームｎでは、ＣＳＩ−ＲＳ  ＃０，１が転送される。ＣＳＩ−ＲＳ  ＃０は、ノード＃Ｎが転送するＣＳＩ−ＲＳでありえ、ＣＳＩ−ＲＳ  ＃１は、ノード＃Ｍが転送するＣＳＩ−ＲＳでありうる。
【０１３７】
上述したように、同一端末に複数のＣＳＩ−ＲＳが設定されることができる。このとき、基地局が前記端末に非周期的ＣＳＩを要請する場合、従来の方法によれば、参照信号が転送される各サブフレームにおいてＣＳＩ要請フィールド（例えば、ＣＱＩ要請フィールド）を転送しなければならない。ところが、多重ノードシステムのように端末に互いに異なるサブフレームにおいて複数の参照信号が転送される場合、従来の方法によれば、各サブフレームにおいて繰り返し的にＣＳＩ要請フィールドが転送されなければならないので、非効率的でかつ資源浪費が発生できる。
【０１３８】
したがって、本発明では、基地局が端末に一回的にＣＳＩ要請フィールドを転送してＣＳＩフィードバックトリガーをすることで、複数の参照信号に対する非周期的ＣＳＩフィードバックを行う方法を提供しようとする。
【０１３９】
図１２は、本発明の一実施形態にかかる端末のＣＳＩ転送方法を示す。
【０１４０】
図１２に示すように、端末は、各ノードに割り当てられる参照信号設定情報を受信する（Ｓ１１０）。
【０１４１】
参照信号設定情報は、ＲＲＣメッセージのような上位階層信号を介して受信されることができ、各ノードによりどのような参照信号が転送されるかを知らせることができる。参照信号設定情報は、例えば、各ノードが転送するＣＳＩ−ＲＳの設定を知らせることができる。
【０１４２】
端末は、ＣＳＩ要請フィールドを受信する（Ｓ１２０）。ＣＳＩ要請フィールドは、端末に非周期的ＣＳＩレポートをトリガーする。従来のＣＳＩ要請フィールドは、特定セルまたは特定搬送波に対するＣＳＩフィードバックを要請することであった。これに対し、本発明に係るＣＳＩ要請フィールドは、複数の参照信号に対するＣＳＩフィードバックを要請できる。
【０１４３】
次の表は、ＣＳＩ要請フィールドの一例である。
【０１４４】
【表１１】
0005755369.tif 000019
【０１４５】
表１１に示したように、ＣＳＩ要請フィールドの値が「１００」または「１０１」の場合、参照信号の第１集合または第２集合に対するＣＳＩリポートがトリガーされうる。前記第１集合または第２集合は、上位階層信号により設定される参照信号の集合を指し示すことができ、参照信号は、各ノードにより転送されるＣＳＩ−ＲＳでありうる。
【０１４６】
例えば、第１集合は、図１０に示したＣＳＩ−ＲＳ  ＃０、＃１のように互いに異なるサブフレームにおいて転送される複数の参照信号の集合でありうる。また、第２集合は、図１１に示したＣＳＩ−ＲＳ  ＃０、＃１のように同一のサブフレームにおいて転送される複数の参照信号の集合でありうる。ただし、表１１は、例示に過ぎず、他の参照信号の組み合わせ又はノード組み合わせを指し示しても良い。
【０１４７】
例えば、ＣＳＩ要請フィールドは、１．特定ＣＳＩ−ＲＳを転送する一部アンテナポートだけがＰＤＳＣＨ転送に参加する場合に対するＣＳＩを要請したり、２．ＣＳＩ−ＲＳを転送するすべてのアンテナポートがＰＵＳＣＨ転送に参加する場合に対するＣＳＩを要請することもできる。
【０１４８】
端末の立場では、ＣＳＩ要請フィールドは、ＤＣＩに含まれてＰＤＣＣＨを介して受信されることができる。ＣＳＩ要請フィールドを含むＤＣＩは、ＤＣＩフォーマット０、ＤＣＩフォーマット４のようにＰＵＳＣＨをスケジューリングする用途のＤＣＩでありうる。
【０１４９】
または、ＣＳＩ要請フィールドは、ＲＲＣメッセージのような上位階層信号を介して受信されることができる。
【０１５０】
端末は、ＣＳＩ要請フィールドによって複数の参照信号を測定して、各参照信号に対するＣＳＩを生成する（Ｓ１３０）。ＣＳＩは、ＣＱＩでありうるが、これに制限されず、ＲＩ、ＰＭＩなどが含まれることができることは明らかである。
【０１５１】
端末は、各参照信号に対するＣＳＩをＰＵＳＣＨ資源を介して転送する（Ｓ１４０）。ＰＵＳＣＨ資源は、一つのサブフレーム内に存在することもでき、複数のサブフレームに存在することもできる。
【０１５２】
以下、端末がＣＳＩ要請フィールドに応じてＣＳＩを生成した後、ＰＵＳＣＨ資源を介して転送する過程を詳細に説明する。
【０１５３】
本発明においてＣＳＩ要請フィールドは、ＣＳＩ生成のために参照信号を測定しなければならないすべてのサブフレームにおいて転送されるものでない。すなわち、従来では、アップリンクスケジューリング情報を含むＤＣＩフォーマットにＣＳＩ要請フィールドが含まれる場合、端末は、ＣＳＩ要請フィールドを受信した有効なダウンリンクサブフレームにおいて参照信号を測定してＣＳＩを生成した。これに対し、本発明でのＣＳＩ要請フィールドは、端末が測定しなければならない参照信号が複数のサブフレームに位置する場合、前記複数のサブフレームのうち、一部のサブフレームにおいてのみ転送されることができる。
【０１５４】
端末は、ＣＳＩ要請フィールドの値に応じてどんな参照信号に対するＣＳＩを生成しなければならないかが分かり、ＲＲＣメッセージのような上位階層信号を介して各参照信号の転送周期、サブフレームオフセット、パターンなどが分かる。したがって、端末は、ＣＳＩ要請フィールド及び上位階層信号を介して測定の対象になる参照信号、すなわち、ＣＳＩ参照資源の位置が分かる。
【０１５５】
図１３は、本発明の一実施形態にかかるＣＳＩ要請フィールド転送とＣＳＩフィードバック方法の一例を示す。端末にサブフレームｎ，ｎ＋１において転送されるＣＳＩ−ＲＳに対する非周期的ＣＳＩをレポート要請する場合を仮定する。
【０１５６】
図１３に示すように、基地局は、サブフレームｎにおいてＰＵＳＣＨスケジューリング情報を含むＤＣＩを介してＣＳＩ要請フィールドを転送する。また、サブフレームｎ、サブフレームｎ＋１においてＣＳＩ−ＲＳを転送する。
【０１５７】
この場合、端末は、ＣＳＩ参照資源をサブフレームｎに限定せずに、サブフレームｎ＋１まで含んで解析する。すなわち、ＣＳＩ要請フィールドを含むサブフレームｎ以後に位置する有効なダウンリンクサブフレームｎ＋１までＣＳＩ参照資源に含む。
【０１５８】
図１４は、本発明の一実施形態にかかるＣＳＩ要請フィールド転送とＣＳＩフィードバック方法の他の例を示す。端末にサブフレームｎ，ｎ＋１において転送されるＣＳＩ−ＲＳに対する非周期的ＣＳＩをレポート要請する場合を仮定する。
【０１５９】
図１４に示すように、基地局は、サブフレームｎ＋１においてＰＵＳＣＨスケジューリング情報を含むＤＣＩを介してＣＳＩ要請フィールドを転送する。端末は、ＣＳＩ要請フィールドを含むサブフレームｎ＋１以前に位置する有効なダウンリンクサブフレームｎまでＣＳＩ参照資源に含む。
【０１６０】
すなわち、従来では、ＣＳＩ要請フィールドが転送されるサブフレームに対してのみＣＳＩを測定したが、本発明では、ＣＳＩ要請フィールドが転送されないサブフレームまで考慮してＣＳＩを測定した後にレポートする。
【０１６１】
図１３及び１４では、端末が複数のサブフレームにおいて受信したＣＳＩ−ＲＳに対するＣＳＩを一つのサブフレームを介して転送する例を示したが、これに制限されるものではない。
【０１６２】
すなわち、端末は、複数のサブフレームを介してＣＳＩを転送することもできる。この場合、ＣＳＩ要請フィールドを含むＤＣＩには、複数のＰＵＳＣＨ資源をスケジューリングする複数のＰＵＳＣＨスケジューリング情報を含むことができる。
【０１６３】
または、複数のＰＵＳＣＨ資源を物理的にまたは論理的に連続するように割り当てるように予め定義することができる。この場合、一つのＰＵＳＣＨスケジューリング情報及び割り当てられるＰＵＳＣＨの数を知らせて、複数のＰＵＳＣＨ資源をスケジューリングできる。
【０１６４】
本発明は、内容の理解を助けるために多重ノードシステムを例として説明したが、これに限定されるものではない。すなわち、本発明は、任意のシステムにおいて多重ＣＳＩ−ＲＳ設定を適用する場合に使用することができる。また、ＣＳＩの例として、主にＣＱＩを説明したが、ＲＩ、ＰＭＩなども適用可能であることは勿論である。
【０１６５】
図１５は、基地局及び端末を示すブロック図である。
【０１６６】
基地局１００は、プロセッサ１１０、メモリ１２０及びＲＦ部（ＲＦ（ｒａｄｉｏ  ｆｒｅｑｕｅｎｃｙ）ｕｎｉｔ）１３０を備える。プロセッサ１１０は、提案された機能、過程及び／または方法を具現する。例えば、プロセッサ１１０は、端末に各ノードに割り当てられる参照信号に対する設定を知らせる参照信号設定情報を転送する。また、ＣＳＩ要請フィールドを転送するものの、前記ＣＳＩ要請フィールドは、複数の参照信号が転送されるサブフレームのうち、一部のサブフレームにおいてのみ転送される。メモリ１２０は、プロセッサ１１０と接続されて、プロセッサ１１０を駆動するための多様な情報を格納する。ＲＦ部１３０は、プロセッサ１１０と接続されて無線信号を転送及び／または受信する。ＲＦ部１３０は、有線で基地局１００に接続した複数のノードから構成されることができる。
【０１６７】
端末２００は、プロセッサ２１０、メモリ２２０及びＲＦ部２３０を備える。プロセッサ２１０は、上述した機能及び方法を行う。例えば、プロセッサ２１０は、基地局またはノードから参照信号設定情報及びＣＳＩ要請フィールドを受信する。ＣＳＩ要請フィールドは、ＤＣＩに含まれるか、またはＲＲＣメッセージのような上位階層信号を介して受信されることができる。ＣＳＩ要請フィールドの値に応じて、端末は、複数の参照信号、例えば、各ノード別に転送されるＣＳＩ−ＲＳに対するチャネル状態情報を生成して転送する。この場合、ＣＳＩ−ＲＳは、複数のサブフレームにおいて受信されることもでき、一つのサブフレーム内において受信されることもできる。生成されたＣＳＩは、一つのＰＵＳＣＨまたは複数のＰＵＳＣＨを介して転送されることができる。メモリ２２０は、プロセッサ２１０と接続されて、プロセッサ２１０を駆動するための多様な情報を格納する。ＲＦ部２３０は、プロセッサ２１０と接続されて、無線信号を転送及び／または受信する。
【０１６８】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を備えることができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を備えることができる。ＲＦ部１３０、２３０は、無線信号を転送及び／または受信する一つ以上のアンテナを備えることができる。実施形態がソフトウェアにおいて具現化されるとき、上述した技法は、上述した機能を行うモジュール（過程、機能など）を用いて具現化されることができる。モジュールは、メモリ１２０、２２０に格納され、プロセッサ１１０、２１０により実行されることができる。メモリ１２０、２２０は、プロセッサ１１０、２１０の内部または外部にあることができ、よく知られた多様な手段を用いてプロセッサ１１０、２１０と接続されることができる。
【０１６９】
本発明は、ハードウェア、ソフトウェアまたはこれらの組み合わせにより具現化されることができる。ハードウェアの具現化にあたって、上述した機能を行うためにデザインされたＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）、ＤＳＰ（ｄｉｇｉｔａｌ  ｓｉｇｎａｌ  ｐｒｏｃｅｓｓｉｎｇ）、ＰＬＤ（ｐｒｏｇｒａｍｍａｂｌｅ  ｌｏｇｉｃ  ｄｅｖｉｃｅ）、ＦＰＧＡ（ｆｉｅｌｄ  ｐｒｏｇｒａｍｍａｂｌｅ  ｇａｔｅ  ａｒｒａｙ）、プロセッサ、制御機、マイクロ・プロセッサ、他の電子ユニットまたはこれらの組み合わせにより具現化されることができる。ソフトウェアの具現化にあたって、上述した機能を行うモジュールにより具現化されることができる。ソフトウェアは、メモリユニットに格納されることができ、プロセッサにより実行される。メモリユニットやプロセッサは、当業者にとって周知の多様な手段を採用できる。
【０１７０】
以上、本発明の好ましい実施形態について詳細に述べたが、本発明が属する技術分野における通常の知識を有した者であれば、添付された請求の範囲に定義される本発明の思想及び範囲から逸脱しない範囲内で、本発明を様々に変形または変更して実施できることが分かる。したがって、本発明の今後の実施形態等の変更は、本発明の技術から逸脱して行われてはならない。
【図１】
0005755369.tif 000020
【図２】
0005755369.tif 000021
【図３】
0005755369.tif 000022
【図４】
0005755369.tif 000023
【図５】
0005755369.tif 000024
【図６】
0005755369.tif 000025
【図７】
0005755369.tif 000026
【図８】
0005755369.tif 000027
【図９】
0005755369.tif 000028
【図１０】
0005755369.tif 000029
【図１１】
0005755369.tif 000030
【図１２】
0005755369.tif 000031
【図１３】
0005755369.tif 000032
【図１４】
0005755369.tif 000033
【図１５】
0005755369.tif 000034